(57)【要約】【課題】搭載機器のサイズにより、搭載可能なサイズを変更できるような免震装置を提供する。また、免震時に配線の破損を確実に防止するとともに床下配線をし易くした免震装置を提供する。【解決手段】下面カバー２０に対してスライド可能になされた上面カバー１０を有する免震部１と、複数の免震部１の上面カバー１０同士を連結する上側連結部２と、複数の免震部１の下面カバー２０同士を連結する下側連結部３と、を備え、複数の連結された下面カバー２０に対して、複数の連結された上面カバー１０が一体に移動するような免震装置１とした。【選択図】図１
0003122728.tif 000002
【実用新案登録請求の範囲】
【請求項１】
下面カバーと、下面カバーに固定されて水平方向に移動可能になされたスライド装置と、スライド装置に固定されて下面カバーに対してスライド可能になされた上面カバーと、を有する免震部と、
複数の免震部の下面カバー同士を連結する下側連結部と、
複数の免震部の上面カバー同士を連結する上側連結部と、
を備え、複数の連結された下面カバーに対して、複数の連結された上面カバーが一体に移動することを特徴とする免震装置。
【請求項２】
請求項１に記載の免震装置において、
前記上面カバーおよび前記上側連結部により形成される上側孔部と、前記下面カバーおよび前記下側連結部により形成される下側孔部と、を備え、スライド装置の移動限界まで移動したときに、上面カバー側から見て上側孔部と下側孔部とが連通して挿通孔を形成することを特徴とする免震装置。
【請求項３】
請求項１または請求項２に記載の免震装置において、
前記免震部のスライド装置は、
前記下面カバーにガイドレール部が取り付けられてスライド部が水平面と略平行な一軸方向に移動する下側スライドガイドと、
下側スライドガイドのスライド部の移動方向に対し略垂直方向であって水平面と略平行に移動するようにスライド部が取り付けられ、かつガイドレール部が前記下面カバーに取付けられる上側スライドガイドと、
上側スライドガイドおよび下側スライドガイドのスライド部の移動に応じて伸縮するように取り付けられ、上面カバーと下面カバーとを所定位置にあるように付勢するばねと、
を備えることを特徴とする免震装置。
【請求項４】
請求項３に記載の免震装置において、
前記免震部は、水平面と略平行であって複数の免震部の列方向に対し垂直方向に複数のスライド装置を配置するものであり、これら複数のスライド装置のそれぞれの上側スライドガイドのスライド方向を一致させ、かつ複数のスライド装置のそれぞれの下側スライドガイドのスライド方向を一致させることを特徴とする免震装置。
【請求項５】
請求項１〜請求項４の何れか一項に記載の免震装置において、
前記下面カバーの下側には、摩擦体となる下面シートが配置されることを特徴とする免震装置。
【請求項６】
請求項５に記載の免震装置において、
前記下面カバーは、下面シートの上に下面フレームを固着した構造であることを特徴とする免震装置。
【請求項７】
請求項１〜請求項６の何れか一項に記載の免震装置において、
前記上面カバーは、上面フレームに上面パネルを固着した構造であることを特徴とする免震装置。
【考案の詳細な説明】
【技術分野】
【０００１】
本考案は、建物の床から伝わる振動を減衰・吸収し、振動に弱い精密な搭載機器を保護する免震装置に関する。
【背景技術】
【０００２】
従来の免震装置の用途としては、コンピュータ・サーバ・通信装置などの電子機器（以下、本明細書中ではこれらを総称して搭載機器という。）を、地震等の振動から守るために使用されていた。このような免震装置の従来技術の一例として、特開２００１−１４０９７９号や特開２００１−３４９３７３号（発明の名称：免震装置）などが開示されている。
【考案の開示】
【考案が解決しようとする課題】
【０００３】
搭載機器のサイズは、多数種類あるため、免震装置のサイズは決定しずらいものであった。このため、免震装置は例えば搭載機器に応じて注文生産品とするなど、在庫が困難であり、注文に即応できないという問題があった。また、搭載機器は大型であるため、作り置きしておくと、倉庫で保管場所を多く占めるため、この点でも在庫が困難であった。
【０００４】
また、搭載機器がコンピュータ・サーバの場合、電源線・通信ケーブル等の多数の配線（以下、本明細書中において単に配線という。）が必要となる。現状、配線は増大の一途を辿っているが、免震装置では上側の上面カバーは免震により移動するため、配線が損傷しないように工夫する必要もあった。
【０００５】
また、近年では搭載機器が設置されるコンピュータ室・通信機器室ではフリーアクセスフロアを用いることが一般的であり、このフロアに配線を挿通させて床下配線等を行えるようにしたいという要請もあった。
【０００６】
そこで、本考案は、上記の課題を解決するためになされたものであり、その目的は、低コストおよび免震効果を損なうことなく、搭載機器のサイズにより、搭載可能なサイズを変更できるような免震装置を提供することにある。
また、免震時に配線の破損を確実に防止するとともに床下配線をし易くした免震装置を提供することにある。
【課題を解決するための手段】
【０００７】
本考案の請求項１に係る免震装置は、
下面カバーと、下面カバーに固定されて水平方向に移動可能になされたスライド装置と、スライド装置に固定されて下面カバーに対してスライド可能になされた上面カバーと、を有する免震部と、
複数の免震部の下面カバー同士を連結する下側連結部と、
複数の免震部の上面カバー同士を連結する上側連結部と、
を備え、複数の連結された下面カバーに対して、複数の連結された上面カバーが一体に移動することを特徴とする。
【０００８】
また、本考案の請求項２に係る免震装置は、
請求項１に記載の免震装置において、
前記上面カバーおよび前記上側連結部により形成される上側孔部と、前記下面カバーおよび前記下側連結部により形成される下側孔部と、を備え、スライド装置の移動限界まで移動したときに上面カバー側から見て上側孔部と下側孔部とが連通して挿通孔を形成することを特徴とする。
【０００９】
また、本考案の請求項３に係る免震装置は、
請求項１または請求項２に記載の免震装置において、
前記免震部のスライド装置は、
前記下面カバーにガイドレール部が取り付けられてスライド部が水平面と略平行な一軸方向に移動する下側スライドガイドと、
下側スライドガイドのスライド部の移動方向に対し略垂直方向であって水平面と略平行に移動するようにスライド部が取り付けられ、かつガイドレール部が前記下面カバーに取付けられる上側スライドガイドと、
上側スライドガイドおよび下側スライドガイドのスライド部の移動に応じて伸縮するように取り付けられ、上面カバーと下面カバーとを所定位置にあるように付勢するばねと、
を備えることを特徴とする。
【００１０】
また、本考案の請求項４に係る免震装置は、
請求項３に記載の免震装置において、
前記免震部は、水平面と略平行であって複数の免震部の列方向に対し垂直方向に複数のスライド装置を配置するものであり、これら複数のスライド装置のそれぞれの上側スライドガイドのスライド方向を一致させ、かつ複数のスライド装置のそれぞれの下側スライドガイドのスライド方向を一致させることを特徴とする。
【００１１】
また、本考案の請求項５に係る免震装置は、
請求項１〜請求項４の何れか一項に記載の免震装置において、
前記下面カバーの下側には、摩擦体となる下面シートが配置されることを特徴とする。
【００１２】
また、本考案の請求項６に係る免震装置は、
請求項５に記載の免震装置において、
前記下面カバーは、下面シートの上に下面フレームを固着した構造であることを特徴とする。
【００１３】
また、本考案の請求項７に係る免震装置は、
請求項１〜請求項６の何れか一項に記載の免震装置において、
前記上面カバーは、上面フレームに上面パネルを固着した構造であることを特徴とする。
【考案の効果】
【００１４】
以上のような本考案によれば、低コストおよび免震効果を損なうことなく、搭載機器のサイズにより、搭載可能なサイズを変更できるような免震装置を提供することができる。
また、免震時に配線の破損を確実に防止するとともに床下配線をし易くした免震装置を提供することができる。
【考案を実施するための最良の形態】
【００１５】
本考案を実施するための最良の形態について図に基づいて以下に説明する。図１は本形態の免震装置の説明図であり、図１（ａ）は平面図、図１（ｂ）は正面図、図１（ｃ）は側面図である。図２は免震部の構成図である。図３はスライド装置の構成図である。
免震装置１００は、図１（ａ），（ｂ）で示すように、免震部１、上側連結部２、下側連結部３、を備え、上側孔部４、下側孔部５が形成されている。
【００１６】
免震部１は、図２で示すように、上面カバー１０、下面カバー２０、スライド装置３０を備えている。
上面カバー１０は、上面パネル１１、上面フレーム１２を備える。
この上面カバー１０は、多数の鉄骨部材を組立てた上面フレーム１２に金属製板体の上面パネル１１を固着した構造体として形成している。
【００１７】
下面カバー２０は、下面フレーム２１、下面シート２２を備える。
この下面カバー２０は、金属製板体にゴムなどの摩擦体を貼付けて下面シート２２を形成し、多数の鉄骨部材を組立てた下面フレーム２１にこの下面シート２２を固着した構造体として形成している。
【００１８】
スライド装置３０は、一方向にのみ動く直動型のスライドガイドを２個用いる。本考案で想定する直動型のスライドガイドとは、図３で示す上側スライドガイド３１を例にとれば、直線状のガイドレール部３１２に沿ってスライド部３１１がＸ方向に滑らかに摺動する機械要素であり、一般的に市販されている。この直動型のスライドガイドを２個組み合わせることでＸ−Ｙ方向の移動を実現する。
【００１９】
スライド装置３０は、上側スライドガイド３１、下側スライドガイド３２、連結プレート３３、ばね３４，３５を備える。
具体的には、図３で示すように 上側スライドガイド３１および下側スライドガイド３２が略鉛直方向であるＸ−Ｙ方向に向くようにし、スライド部３１１，３２１を連結プレート３３を介して取り付ける。連結プレート３３には、スライド部３１１，３２１に設けられた図示しないねじ孔と一致するように図示しない孔が設けられ、図３で示す矢印イ，ロの方向にねじを螺挿して固定する。さらにスライド部３１１にばね３４，３５を取り付ける。ばね３４，３５は伸縮し、ガイドレール部３１２，３２２の略中央で停止するような付勢力を与える。このようなスライド装置３０の上側スライドガイド３１のスライド部３１１は、下側スライドガイド３２のスライド部３２１の移動方向に対し略垂直方向であって水平面と略平行に移動する。
【００２０】
このようなスライド装置３０の下側には下面カバー２０が配置され、下側スライドガイド３２では、水平面と略平行な一軸方向に移動するように下面カバー２０にガイドレール部３２２が取り付けられる。また、スライド装置３０の上側スライドガイド３１は、ガイドレール部３１２が上面カバー１０に取付けられる。下面カバー２０に対して上面カバー１０は水平方向に移動できるようになる。
【００２１】
そして、図１で示すように、このようなスライド装置３０が複数個（図２では２個）並べられて下面カバー２０に取付固定される。この取付け位置であるが、複数個（図２では２個）の免震部１を並べた列方向を基準とし垂直方向に並べてスライド装置３０を配置するものであり、これら複数のスライド装置３０のそれぞれの上側スライドガイド３１のガイドレール部３１２のスライド方向を列方向に一致させるとともに、複数のスライド装置３０のそれぞれの下側スライドガイド３２のガイドレール部３２２のスライド方向を列方向に対し垂直方向に一致させている。
【００２２】
これにより、免震部１を並べた列方向では上側スライドガイド３１のスライド部３１１に対して上面カバー１０とガイドレール部３１２のみがスライドし、また、免震部１を並べた列方向と垂直方向では下側スライドガイド３２のガイドレール部３２２に対し上面カバー１０、上側スライドガイド３１、連結部３３、下側スライドガイド３２のスライド部３２１がともにスライドすることとなり、スライドする高さを統一して滑りやすさを確保している。
免震部１ではこのようにして下面カバー２０に対して上面カバー１０はＸ方向やＹ方向、つまり水平方向に移動することができ、水平方向の移動を確保している。また、通常時はばね３４，３５の付勢力により下面カバー２０と上面カバー１０とは上から見てはみ出ることなく重なって同じ位置となるように停止する。
免震部１はこのようなものである。
【００２３】
上側連結部２は、免震部１を複数ならべたときに免震部１の上面カバー１０同士を連結する部材である。本形態では、図１で示すように、２個の免震部１の上面カバー１０同士を連結する棒状の部材（例えば角形鋼管・リップ溝形鋼・軽溝形鋼など）である。
【００２４】
下側連結部３は、免震部１を複数ならべたときに免震部１の下面カバー２０同士を連結する部材である。本形態では、図１で示すように、２個の免震部１の下面カバー２０同士を連結する棒状の部材である。
【００２５】
上側孔部４は、上面カバー１０および上側連結部２により形成される。図１（ａ）の実線で示すように、上側孔部４は複数の免震部１を並べた列方向に狭くなるように形成されている。
下側孔部５は、下面カバー２０および下側連結部３により形成される。図１（ａ）の一点鎖線で示すように、下側孔部５は複数の免震部１を並べた列方向に広くなるように形成されている。
【００２６】
続いて、このような免震装置１００の動作について説明する。免震装置１００では複数の連結された下面カバー２０に対して、複数の連結された上面カバー１０が一体に移動する。このためこれら免震部１に跨るように設置された搭載機器は一体に移動する免震部１により免震されることとなる。また、上側孔部４も水平方向に移動することとなる。通常は図１（ａ）のように上から見て上側孔部４と下側孔部５とが連通して挿通孔を形成する。さらに複数の連結された上面カバー１０がスライド装置２０の移動限界まで移動したときでも、下側孔部５は列方向に広いため、上面カバー１０側から見て上側孔部４と下側孔部５とが連通して挿通孔を形成し、常に挿通孔が維持されるようにしている。
このように形成することで、上側の搭載機器から挿通孔を介してケーブルを下側に通過させ、フリーアクセスフロア下側の配線空間まで伸ばすことができる。また、振動時にケーブルが挟まって切断されるという事態も起こらないようにしている。
【００２７】
続いて、本考案の免震装置の他の形態について図を参照しつつ説明する。図４は他の形態の免震装置の説明図であり、図４（ａ）は平面図、図４（ｂ）は正面図、図４（ｃ）は側面図である。
先の形態では免震部１を２個並べた構成であったが、本形態の免震装置１００では免震部１を３個並べた構成である。搭載機器２００を３個の免震部１上に配置し、上側孔部４と下側孔部５とにケーブル３００を挿通させている。このような挿通部は２箇所形成される。
このようにして大型の搭載機器に対処して免震装置１００とすることも可能である。
【００２８】
以上、本考案の免震装置１００について説明した。なお、本形態では免震装置１００として２個または３個の免震部１を並べた装置について例示して説明したが、免震部１を４個以上並べた構成であっても良い。また、３個以上の免震部１を並べた免震装置１００において、一本の上側連結部２で３個以上の上面カバー１０を連結したり、一本の下側連結部３で３個以上の下面カバー２０を連結しても良い。
また、免震部１ではスライド装置３０を２個並べた構成について説明したが、列方向に対して垂直方向に３個以上のスライド装置３０を並べる構成としても良い。
【００２９】
このように免震装置１００では多数の免震部１を並べることで、搭載機器のサイズに応じて最適な免震装置１００を構成することができる。保管場所を占めない免震部１、上側連結部２、下側連結部３を多数在庫しておけば、注文受け後に設置箇所まで免震部１、上側連結部２、下側連結部３を搬送し、その後に設置箇所にて組立てれば良く、納期から設置までの即応性も向上させている。
【００３０】
また、上面カバー１０側から見て、上側孔部４と下側孔部５とが常時連通して挿通部を形成しているため、この挿通部を通じてケーブルを下側へ伸ばすことができ、スライド装置３０の移動限界により挿通部は免震途中でも確保されているため、免震時に配線の破損を確実に防止するとともに床下配線をし易くした免震装置を提供することができる。
【図面の簡単な説明】
【００３１】
【図１】本考案を実施するための最良の形態の免震装置の説明図であり、図１（ａ）は平面図、図１（ｂ）は正面図、図１（ｃ）は側面図である。
【図２】免震部の構成図である。
【図３】スライド装置の構成図である。
【図４】他の形態の免震装置の説明図であり、図４（ａ）は平面図、図４（ｂ）は正面図、図４（ｃ）は側面図である。
【符号の説明】
【００３２】
１００：免震装置
２００：搭載機器
３００：ケーブル
１：免震部
２：上側連結部
３：下側連結部
４：上側孔部
５：下側孔部
１０：上面カバー
１１：上面パネル
１２：上面フレーム
２０：下面カバー
２１：下面フレーム
２２：下面シート
３０：スライド装置
３１：上側スライドガイド
３１１：スライド部
３１２：ガイドレール部
３２：下側スライドガイド
３２１：スライド部
３２２：ガイドレール部
３３：連結プレート
３４：ばね
３５：ばね
【図１】
0003122728.tif 000003
【図２】
0003122728.tif 000004
【図３】
0003122728.tif 000005
【図４】
0003122728.tif 000006